(57)【要約】【課題】  音声情報を記録あるいは再生するための情報をカード表面に表示する場合であってもカード表面のデザインの自由度が大きく低下してしまうことを回避する。【解決手段】  スイッチ３３ａによって選択的に導通することによりＩＣチップ３４に記録された音声情報が出力される２つの断線部３６ａ，３７ａと、スイッチ３３ｂによって導通することによりＩＣチップ３４に音声情報が記録される２つの断線部３６ｂ，３７ｂとを設ける。【選択図】図４
2006301085.tif 000002
【特許請求の範囲】
【請求項１】
導電パターンが形成され、音声情報の記録及び再生が可能な音声基板と、前記音声基板を表裏から挟み込む２枚の表面シートとを有し、前記導電パターンに形成された再生用断線部が、前記音声基板と前記表面シートとの間に挟みこまれた操作部材によって導通することにより、前記音声基板に記録された音声情報が再生される音声メッセージ伝達シートにおいて、
前記音声基板は、前記再生用断線部を複数有し、該複数の再生用断線部のうち少なくとも１つが導通することにより音声情報が再生されることを特徴とする音声メッセージ伝達シート。
【請求項２】
請求項１に記載の音声メッセージ伝達シートにおいて、
前記音声基板は、前記再生用断線部を表裏にそれぞれ有することを特徴とする音声メッセージ伝達シート。
【請求項３】
請求項１または請求項２に記載の音声メッセージ伝達シートにおいて、
前記音声基板をその一部の領域にて表裏から挟み込んで互いに接着された２枚の支持シートを有し、
前記２枚の表面シートは、前記音声基板を挟み込んで接着された前記２枚の支持シートを挟み込んで該２枚の支持シートと接着されていることを特徴とする音声メッセージ伝達シート。
【請求項４】
音声情報の記録及び再生が可能なＩＣチップが搭載されるとともに、該ＩＣチップと接続された導電パターンが形成され、該導線パターンに形成された再生用断線部が導通することにより音声情報が再生される音声基板であって、
前記再生用断線部を複数有し、該複数の再生用断線部のうち少なくとも１つが導通することにより音声情報が再生される音声基板。
【請求項５】
請求項４に記載の音声基板において、
前記再生用断線部は、表裏にそれぞれ設けられていることを特徴とする音声基板。
【発明の詳細な説明】
【技術分野】
【０００１】
本発明は、音声情報の記録及び再生が可能な音声メッセージ伝達シート及び音声基板に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録及び再生が可能に構成された音声カードが考えられている（例えば、特許文献１参照。）。
【０００６】
音声情報の記録及び再生が可能に構成された音声カードは、例えば、音声情報が記録される回路部と、回路部に対する音声情報の記録あるいは再生を行なうための記録・再生部とが２枚のカード基材に挟まれ、このカード基材に、音声情報を記録・再生部を介して入力する際に押下される録音ボタンと、回路部に記録された音声情報を記録・再生部を介して出力する際に押下される再生ボタンとが設けられて構成されている。回路部は回路基板上に搭載されており、この回路基板上には回路部に接続された導電パターンが形成されている。そして、録音ボタン及び再生ボタンはそれぞれ、回路基板に形成された導電パターンの所定の領域と対向する位置に設けられ、録音ボタンと導電パターンとが導通することにより音声情報が記録され、また、再生ボタンと導電パターンとが導通することにより音声情報が再生されることになる。
【特許文献１】特公平３−４５４３３号公報
【発明の開示】
【発明が解決しようとする課題】
【０００７】
しかしながら、上述したような音声カードにおいては、音声情報を記録する際に押下される録音ボタンと音声情報を再生する際に押下される再生ボタンとがそれぞれ、回路基板に形成された導電パターンの所定の領域と対向する位置に設けられているため、カード基材の表面のうち、録音ボタン及び再生ボタンが配置される領域が、回路基板の導電パターンによって一義的に決められることになり、それにより、カード表面のデザインの自由度が大きく低下してしまうという問題点がある。
【０００８】
本発明は、上述したような従来の技術が有する問題点に鑑みてなされたものであって、音声情報を記録あるいは再生するための情報をカード表面に表示する場合であってもカード表面のデザインの自由度が大きく低下してしまうことを回避することができる音声メッセージ伝達シート及び音声基板を提供することを目的とする。
【課題を解決するための手段】
【０００９】
上記目的を達成するために本発明は、
導電パターンが形成され、音声情報の記録及び再生が可能な音声基板と、前記音声基板を表裏から挟み込む２枚の表面シートとを有し、前記導電パターンに形成された再生用断線部が、前記音声基板と前記表面シートとの間に挟みこまれた操作部材によって導通することにより、前記音声基板に記録された音声情報が再生される音声メッセージ伝達シートにおいて、
前記音声基板は、前記再生用断線部を複数有し、該複数の再生用断線部のうち少なくとも１つが導通することにより音声情報が再生されることを特徴とする。
【００１０】
上記のように構成された本発明においては、音声基板を表裏から挟み込む２枚の表面シートに印刷等によって表示される文字や絵、模様等のレイアウトに応じて、音声基板に形成された導電パターンに複数設けられた再生用断線部のうち、操作部材によって導通させる再生用断線部が選択される。そして、選択された再生用断線部に対向するように操作部材が設けられ、この操作部材が操作されて再生用断線部が導通することにより、音声情報が再生される。
【００１１】
このように、操作部材によって選択的に導通することにより音声情報が再生される再生用断線部が音声基板に複数設けられているため、音声情報を再生するためにこの操作部材を操作することを示すための情報が表面シートに印刷される場合であっても、カード表面のデザインの自由度が大きく低下してしまうことが回避される。
【００１２】
また、前記音声基板は、前記再生用断線部を表裏にそれぞれ有することを特徴とする。
【００１３】
このような構成とした場合は、文字や絵、模様等の情報が全面に表示される表面シート側とは反対側の面に設けられた再生用断線部を選択すれば、文字や絵、模様等の情報が全面に表示される表面シートとは反対側の表面シートに、操作部材を操作することを示すための情報が表示されることになり、表面シートのデザインの自由度が低下してしまうことが回避される。
【００１４】
また、前記音声基板をその一部の領域にて表裏から挟み込んで互いに接着された２枚の支持シートを有し、
前記２枚の表面シートは、前記音声基板を挟み込んで接着された前記２枚の支持シートを挟み込んで該２枚の支持シートと接着されていることを特徴とする。
【発明の効果】
【００１５】
以上説明したように本発明においては、操作部材によって選択的に導通することにより音声情報が再生される再生用断線部が音声基板に複数設けられているため、音声情報を再生するためにこの操作部材を操作することを示すための情報が表面シートに印刷される場合であっても、カード表面のデザインの自由度が大きく低下してしまうことを回避することができる。また、カード表面のデザインに応じて複数種類の音声基板を作製する必要がなく、作製コスト及び在庫コストが増大してしまうことを回避することができる。
【００１６】
また、再生用断線部が音声基板の表裏にそれぞれ設けられているものにおいては、２枚の表面シートのうち所望の一方の表面シートの全面に、文字や絵、模様等の情報を表示することができる。
【発明を実施するための最良の形態】
【００１７】
以下に、本発明の実施の形態について図面を参照して説明する。
【００１８】
（第１の実施の形態）
図１は、本発明の音声メッセージ伝達シートの第１の実施の形態を示す図であり、（ａ）は表面から見た図、（ｂ）は内部構造を示す図、（ｃ）は（ａ）に示したＡ−Ａ’断面図、（ｄ）は（ａ）に示したＢ−Ｂ’断面図である。また、図２は、図１に示した音声メッセージ伝達シート１の積層状態を示す図である。
【００１９】
本形態は図１及び図２に示すように、音声情報の記録及び再生が可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００２０】
また、音声情報記録／再生部３０は、ピエゾ素子４１や振動板４２からシート状に構成されて音声情報を入出力するための音声情報入出力部４０と、音声情報入出力部４０を介して入力された音声情報が記録される記憶領域であるメモリ領域を具備する薄型のＩＣチップ３４やコンデンサ、抵抗等の回路素子が搭載されるとともに、導電パターンが形成されて音声情報の記録及び再生が可能に構成された音声基板３２と、音声基板３２上の導電パターンのうち導電パターン３５ａ〜３５ｃに形成された断線部を導通させるための操作手段となるスイッチ３３ａ，３３ｂと、音声基板３２に接続され、音声基板３２に電源を供給するための柔軟性を有してなるペーパー電池３１とから構成されており、これにより、音声情報記録／再生部３０は、シート状に構成されている。また、音声基板３２に、外部からＩＣチップ３４に音声情報を入力したり、ＩＣチップ３４に記録された音声情報を外部に出力したりするための接続端子を設けることも考えられる。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。また、音声基板３２上に形成された導電パターン３５ａ〜３５ｃ以外の導電パターンは図示を省略してある。
【００２１】
また、支持シート２０ａにおいては、音声情報記録／再生部３０と積層された場合に、ペーパー電池３１、ＩＣチップ３４、スイッチ３３ａ，３３ｂ及び音声情報入出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報入出力部４０と対向する領域に穴２１ｂ，２４ｂがそれぞれ形成されている。また、支持シート２０ａには、音声基板３２上の導電パターン３５ａ〜３５ｃに形成された断線部が露出するような穴２５も形成されており、その詳細については後述する。
【００２２】
このように、支持シート２０ａの、ペーパー電池３１、ＩＣチップ３４、スイッチ３３ａ，３３ｂ及び音声情報入出力部４０と対向する領域に穴２１ａ，２２，２３，２４ａがそれぞれ形成され、また、支持シート２０ｂの、ペーパー電池３１及び音声情報入出力部４０と対向する領域に穴２１ｂ，２４ｂがそれぞれ形成されることにより、ペーパー電池３１、ＩＣチップ３４、スイッチ３３ａ，３３ｂ及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。
【００２３】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２４】
図３（ａ）に示すように、支持シート２０ａのペーパー電池３１と対向する領域に形成された穴２１ａはペーパー電池３１よりも小さく、また、スイッチ３３ａ，３３ｂと対向する領域に形成された穴２３はスイッチ３３ａ，３３ｂを含むように、また、ＩＣチップ３４と対向する領域に形成された穴２２はＩＣチップ３４よりも大きく、また、音声情報入出力部４０と対向する領域に形成された穴２４ａは音声情報入出力部４０よりも大きくなっている。
【００２５】
また、図３（ｂ）に示すように、支持シート２０ｂのペーパー電池３１と対向する領域に形成された穴２１ｂはペーパー電池３１よりも小さく、また、音声情報入出力部４０と対向する領域に形成された穴２４ｂは音声情報入出力部４０よりも小さくなっている。
【００２６】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００２７】
また、２枚の表面シート１０ａ，１０ｂのうち、支持シート２０ａの穴２２，２３を介してＩＣチップ３４及びスイッチ３３ａ，３３ｂと対向する側の表面シート１０ａにおいては、この音声メッセージ伝達シート１を郵送する場合における宛先情報や、所望の文字や絵、模様等が印刷される情報表示領域２が設けられているとともに、支持シート２０ａの穴２３を介してスイッチ３３ａと対向する領域にはスイッチ３３ａを操作するための再生ボタン３ａを示す印刷が施され、また、支持シート２０ａの穴２３を介してスイッチ３３ｂと対向する領域にはスイッチ３３ｂを操作するための録音ボタン３ｂを示す印刷が施され、また、支持シート２０ａの穴２４ａを介して音声情報入出力部４０と対向する領域には、音声情報入出力部４０から出力された音声を外部に出力するための微細な穴が羅列されてなる音声出力領域４が形成されている。このように微細な穴が羅列されてなる音声出力領域４が形成されているため、音声情報入出力部４０が表裏を表面シート１０ａ，１０ｂで覆われた状態であっても、音声情報入出力部４０から出力される音量の低下を補うことができる。なお、音声出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、再生ボタン３ａ及び録音ボタン３ｂにおいては、情報表示領域２に対する印刷と同時に印刷することや、表面シート１０ａに情報が印刷された後に、スイッチ３３ａ，３３ｂに対向する領域にそれぞれシールを貼付することによって設けることが考えられる。
【００２８】
以下に、上述した音声メッセージ伝達シート１の使用方法について説明する。
【００２９】
図４は、図１に示した音声メッセージ伝達シート１の使用方法を説明するための図であり、（ａ）は音声基板３２上の詳細な構成を示す図、（ｂ）は（ａ）に示したスイッチ３３ａが操作されていない状態の断面図、（ｃ）は（ａ）に示したスイッチ３３ａが操作された状態の断面図である。
【００３０】
図４（ａ）に示すように本形態においては、ペーパー電池３１の正極に接続された導電パターン３５ａがスイッチ３３ａ，３３ｂの下部まで延びるように音声基板３２上に形成されており、また、ＩＣチップ３４のポート端子のうち、ＩＣチップ３４のメモリ領域に記録された音声情報を出力するための指示信号が入力されるポート端子に接続された導電パターン３５ｂが導電パターン３５ａと接触しないように、かつスイッチ３３ａの下部まで延びるように音声基板３２上に形成されている。また、ＩＣチップ３４のポート端子のうち、音声情報入出力部４０を介して入力された音声情報をＩＣチップ３４のメモリ領域に記録するための指示信号が入力されるポート端子に接続された導電パターン３５ｃが導電パターン３５ａと接触しないように、かつスイッチ３３ｂの下部まで延びるように音声基板３２上に形成されている。これにより、音声基板３２上の導電パターン３５ａ〜３５ｃにおいては、スイッチ３３ａ，３３ｂが搭載された領域の下部にて、導電パターン３５ａと導電パターン３５ｂとが対向してなる再生用断線部３６ａと、導電パターン３５ａと導電パターン３５ｃとが対向してなる録音用断線部３６ｂとがそれぞれ設けられている。また、その他の領域においても、導電パターン３５ａと導電パターン３５ｂとが対向してなる再生用断線部３７ａと、導電パターン３５ａと導電パターン３５ｃとが対向してなる録音用断線部３７ｂとが設けられている。なお、ＩＣチップ３４においては、導電パターン３５ｂに接続されたポート端子が電源電位になった場合、ＩＣチップ３４のメモリ領域に記録された音声情報を出力し、また、導電パターン３５ｃに接続されたポート端子が電源電位になった場合、導電パターン３５ｃに接続されたポート端子が電源電位になっている間だけ、音声情報入出力部４０を介して入力された音声情報をＩＣチップ３４のメモリ領域に記録する。
【００３１】
上記のように構成された音声メッセージ伝達シート１においては、再生ボタン３ａを介してスイッチ３３ａが押下されていない場合は、図４（ｂ）に示すように、音声基板３２に形成された導電パターン３５ａと導電パターン３５ｂとが断線部３６ａによって断線した状態となっている。そのため、ＩＣチップ３４のポート端子のうち、導電パターン３５ｂと接続されたポート端子、すなわち、ＩＣチップ３４のメモリ領域に記録された音声情報を出力するための指示信号が入力されるポート端子はオープン状態となっており、ＩＣチップ３４のメモリ領域に記録された音声情報は出力されない。
【００３２】
一方、再生ボタン３ａを介してスイッチ３３ａが押下されると、図４（ｃ）に示すように、音声基板３２に形成された導電パターン３５ａと導電パターン３５ｂとが、スイッチ３３ａの裏面に塗布された導電剤３８を介して電気的に接続された状態となる。すると、導電パターン３５ａがペーパー電池３１の正極に接続されているため、導電パターン３５ｂと接続されたポート端子、すなわち、ＩＣチップ３４のメモリ領域に記録された音声情報を出力するための指示信号が入力されるポート端子が電源電位となり、それにより、ＩＣチップ３４のメモリ領域に記録された音声情報が音声情報入出力部４０を介して出力される。このように、再生ボタン３ａを介してスイッチ３３ａを押下することにより、ＩＣチップ３４に記録された音声情報が音声情報入出力部４０を介して出力されることになる。
【００３３】
また、録音ボタン３ｂを介してのスイッチ３３ｂの操作時についても、再生ボタン３ａを介してのスイッチ３３ａの操作時と同様に、録音ボタン３ｂを介してスイッチ３３ｂが押下されていない場合は、音声基板３２に形成された導電パターン３５ａと導電パターン３５ｃとが断線部３６ｂによって断線した状態となっており、また、録音ボタン３ｂを介してスイッチ３３ｂが押下されると、導電パターン３５ａと導電パターン３５ｃとが、スイッチ３３ｂの裏面に塗布された導電剤（不図示）を介して電気的に接続された状態となる。すると、配線パターン３５ａがペーパー電池３１の正極に接続されているため、配線パターン３５ｃと接続されたポート端子、すなわち、音声情報入出力部４０を介して入力された音声情報をＩＣチップ３４のメモリ領域に記録するための指示信号が入力されるポート端子が電源電位となり、その状態において、音声情報入出力部４０を介して音声情報を入力すると、入力された音声情報がＩＣチップ３４のメモリ領域に記録される。このように、録音ボタン３ｂを介してスイッチ３３ｂを押下しながら音声情報を音声情報入出力部４０を介して入力することにより、音声情報入出力部４０を介して入力された音声情報がＩＣチップ３４に記録されることになる。
【００３４】
このように、音声基板３２上の導電パターン３５ａ〜３５ｃに設けられた断線部３６ａ，３６ｂをスイッチ３３ａ，３３ｂによって導通状態とすることによって、ＩＣチップ３４に記録された音声情報が音声情報入出力部４０を介して出力されたり、音声情報入出力部４０を介して入力された音声情報がＩＣチップ３４に記録されたりすることになる。
【００３５】
ここで、本形態においては、上述した断線部３６ａ，３６ｂの他にも導電パターン３５ａ〜３５ｃが互いに対向してなる断線部３７ａ，３７ｂが設けられている。
【００３６】
この断線部３７ａは、ペーパー電池３１の正極に接続された導電パターン３５ａと、ＩＣチップ３４のポート端子のうち、ＩＣチップ３４のメモリ領域に記録された音声情報を出力するための指示信号が入力されるポート端子に接続された導電パターン３５ｂとが対向するように形成されている。そのため、この断線部３７ａを導通させることによっても、ＩＣチップ３４に記録された音声情報を音声情報入出力部４０を介して出力することができる。すなわち、断線部３７ａ上にスイッチ３３ａを設け、さらに、表面シート１０ａのスイッチ３３ａと対向する領域に再生ボタン３ａを設けておき、この再生ボタン３ａが押下された場合に、ＩＣチップ３４に記録された音声情報が音声情報入出力部４０を介して出力される構成とすることができる。
【００３７】
また、断線部３７ｂは、ペーパー電池３１の正極に接続された導電パターン３５ａと、ＩＣチップ３４のポート端子のうち、音声情報入出力部４０を介して入力された音声情報をＩＣチップ３４のメモリ領域に記録するための指示信号が入力されるポート端子に接続された導電パターン３５ｃとが対向するように形成されている。そのため、この断線部３７ｂを導通させることによっても、音声情報入出力部４０を介して入力された音声情報をＩＣチップ３４に記録することができる。すなわち、断線部３７ｂ上にスイッチ３３ｂを設け、さらに、表面シート１０ａのスイッチ３３ｂと対向する領域に録音ボタン３ｂを設けておき、この録音ボタン３ｂが押下されながら音声情報入出力部４０を介して音声情報が入力された場合に、その音声情報がＩＣチップ３４に記録される構成とすることができる。
【００３８】
このように本形態においては、音声基板３２に形成された導電パターン３５ａ〜３５ｃに、スイッチ３３ａ，３３ｂが操作されることによって導通状態となる２組の再生用断線部３６ａ，３６ｂ及び録音用断線部３６ｂ，３７ｂが設けられており、この２組の断線部３６ａ，３６ｂ，３７ａ，３７ｂの少なくとも一方がそれぞれ導通することにより、ＩＣチップ３４に記録された音声情報が音声情報入出力部４０を介して出力されたり、その状態にて音声情報入出力部４０を介して入力された音声情報がＩＣチップ３４に記録されたりする構成としたため、この２組の断線部３６ａ，３６ｂ，３７ａ，３７ｂのいずれか一方にスイッチ３３ａ，３３ｂをそれぞれ設け、さらに、表面シート１０ａのスイッチ３３ａ，３３ｂと対向する領域に再生ボタン３ａ及び録音ボタン３ｂをそれぞれ設けることができ、それにより、情報表示領域２のデザインに応じて、再生ボタン３ａ及び録音ボタン３ｂを２組の断線部３６ａ，３６ｂ，３７ａ，３７ｂのいずれか一方に対向する領域に配置することができる。
【００３９】
図５は、図４に示した音声基板３２の断線部３７ａ，３７ｂ上にスイッチ３３ａ，３３ｂを設けた例を示す図であり、（ａ）は表面から見た図、（ｂ）は内部構造を示す図である。
【００４０】
図５に示すように、図４に示した音声基板３２の断線部３７ａ，３７ｂ上にスイッチ３３ａ，３３ｂをそれぞれ設けた場合、図１に示したものに対して、再生ボタン３ａ及び録音ボタン３ｂの配置位置を変えることができ、それにより、情報表示領域２の配置可能領域も変わることになる。
【００４１】
（第２の実施の形態）
図６は、本発明の音声メッセージ伝達シートの第２の実施の形態を示す図であり、（ａ）は表面から見た図、（ｂ）は内部構造を示す図、（ｃ）は（ｂ）に示した音声基板１３２を裏面から見た図である。また、図７は、図６に示した音声メッセージ伝達シート１０１の積層状態を示す図である。
【００４２】
本形態は図６及び図７に示すように、第１の実施の形態にて示したものと同様に、音声情報記録／再生部１３０が２枚の支持シート１２０ａ，１２０ｂに挟まれ、また、音声情報記録／再生部１３０が挟まれた支持シート１２０ａ，１２０ｂが２枚の表面シート１０ａ，１０ｂに挟まれて構成されている。
【００４３】
また、音声情報記録／再生部１３０は、ピエゾ素子４１や振動板４２からシート状に構成されて音声情報を入出力するための音声情報入出力部４０と、音声情報入出力部４０を介して入力された音声情報が記録される記憶領域であるメモリ領域を具備する薄型のＩＣチップ３４やコンデンサ、抵抗等の回路素子が搭載されるとともに、導電パターンが形成されて音声情報の記録及び再生が可能に構成された音声基板１３２と、音声基板１３２上の導電パターンのうち導電パターン１３５ａ〜１３５ｆに形成された断線部を導通させるための操作手段となるスイッチ３３ａ，３３ｂと、音声基板１３２に接続され、音声基板１３２に電源を供給するための柔軟性を有してなるペーパー電池３１とから構成されており、これにより、音声情報記録／再生部３０は、シート状に構成されている。
【００４４】
また、本形態においては、音声基板１３２上の導電パターン１３５ａ〜１３５ｆのうち、音声基板１３２のＩＣチップ３４やコンデンサ、抵抗等の回路素子が搭載された面に導電パターン１３５ａ〜１３５ｃが形成され、音声基板１３２のそれとは反対側の面に導電パターン１３５ｄ〜１３５ｆが形成されている。また、音声基板１３２には表裏を貫通したスルーホール１３９ａ〜１３９ｃが形成されており、スルーホール１３９ａを介して導電パターン１３５ａと導電パターン１３５ｄとが電気的に接続され、スルーホール１３９ｂを介して導電パターン１３５ｂと導電パターン１３５ｅとが電気的に接続され、スルーホール１３９ｆを介して導電パターン１３５ｃと導電パターン１３５ｆとが電気的に接続されている。そして、導電パターン１３５ａはペーパー電池３１の正極に接続されるとともにスイッチ３３ａ，３３ｂの下部まで延びるように音声基板１３２上に形成されており、また、導電パターン１３５ｂは、ＩＣチップ３４のポート端子のうち、ＩＣチップ３４のメモリ領域に記録された音声情報を出力するための指示信号が入力されるポート端子に接続されるとともにスイッチ３３ａの下部まで延びるように音声基板１３２上に形成されており、また、導電パターン１３５ｃは、ＩＣチップ３４のポート端子のうち、音声情報入出力部４０を介して入力された音声情報をＩＣチップ３４のメモリ領域に記録するための指示信号が入力されるポート端子に接続されるとともにスイッチ３３ｂの下部まで延びるように音声基板１３２上に形成されている。スイッチ３３ａの下部には、導電パターン１３５ａと導電パターン１３５ｂとが対向してなる再生用断線部（不図示）が設けられており、また、スイッチ３３ｂの下部には、導電パターン１３５ａと導電パターン１３５ｃとが対向してなる録音用断線部（不図示）が設けられている。また、これら導電パターン１３５ａ〜１３５ｃとは反対側の面に形成された導電パターン１３５ｄ〜１３５ｆは、導電パターン１３５ｄと導電パターン１３５ｅとが再生用断線部１３７ａを介して対向するように、また、導電パターン１３５ｄと導電パターン１３５ｆとが録音用断線部１３７ｂを介して対向するようにそれぞれ形成されている。
【００４５】
また、支持シート１２０ａにおいては、音声情報記録／再生部３０と積層された場合に、ペーパー電池３１、ＩＣチップ３４、スイッチ３３ａ，３３ｂ及び音声情報入出力部４０と対向する領域に穴２１ａ，２２，２３ａ，２４ａがそれぞれ形成されており、また、支持シート１２０ｂにおいては、音声情報記録／再生部３０と積層された場合に、ペーパー電池３１、断線部１３７ａ，１３７ｂ及び音声情報入出力部４０と対向する領域に穴２１ｂ，２３ｂ，２４ｂがそれぞれ形成されている。
【００４６】
このように、支持シート１２０ａの、ペーパー電池３１、ＩＣチップ３４、スイッチ３３ａ，３３ｂ及び音声情報入出力部４０と対向する領域に穴２１ａ，２２，２３ａ，２４ａがそれぞれ形成され、また、支持シート１２０ｂの、ペーパー電池３１及び音声情報入出力部４０と対向する領域に穴２１ｂ，２４ｂがそれぞれ形成されることにより、ペーパー電池３１、ＩＣチップ３４、スイッチ３３ａ，３３ｂ及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。
【００４７】
上記のように構成された音声メッセージ伝達シート１０１においては、再生ボタン３ａを介してスイッチ３３ａが押下されていない場合は、音声基板１３２に形成された導電パターン１３５ａと導電パターン１３５ｂとがスイッチ３３ａの下部の断線部によって断線した状態となっている。そのため、ＩＣチップ３４のポート端子のうち、導電パターン１３５ｂと接続されたポート端子、すなわち、ＩＣチップ３４のメモリ領域に記録された音声情報を出力するための指示信号が入力されるポート端子はオープン状態となっており、ＩＣチップ３４のメモリ領域に記録された音声情報は出力されない。
【００４８】
一方、再生ボタン３ａを介してスイッチ３３ａが押下されると、音声基板１３２に形成された導電パターン１３５ａと導電パターン１３５ｂとが、スイッチ３３ａの裏面に塗布された導電剤（不図示）を介して電気的に接続された状態となる。すると、導電パターン１３５ａがペーパー電池３１の正極に接続されているため、導電パターン１３５ｂと接続されたポート端子、すなわち、ＩＣチップ３４のメモリ領域に記録された音声情報を出力するための指示信号が入力されるポート端子が電源電位となり、それにより、ＩＣチップ３４のメモリ領域に記録された音声情報が音声情報入出力部４０を介して出力される。このように、再生ボタン３ａを介してスイッチ３３ａを押下することにより、ＩＣチップ３４に記録された音声情報が音声情報入出力部４０を介して出力されることになる。
【００４９】
また、録音ボタン３ｂを介してのスイッチ３３ｂの操作時についても、再生ボタン３ａを介してのスイッチ３３ａの操作時と同様に、録音ボタン３ｂを介してスイッチ３３ｂが押下されていない場合は、音声基板１３２に形成された導電パターン１３５ａと導電パターン１３５ｃとがスイッチ３３ｂの下部の断線部によって断線した状態となっており、また、録音ボタン３ｂを介してスイッチ３３ｂが押下されると、導電パターン１３５ａと導電パターン１３５ｃとが、スイッチ３３ｂの裏面に塗布された導電剤（不図示）を介して電気的に接続された状態となる。すると、配線パターン１３５ａがペーパー電池３１の正極に接続されているため、配線パターン１３５ｃと接続されたポート端子、すなわち、音声情報入出力部４０を介して入力された音声情報をＩＣチップ３４のメモリ領域に記録するための指示信号が入力されるポート端子が電源電位となり、その状態において、音声情報入出力部４０を介して音声情報を入力すると、入力された音声情報がＩＣチップ３４のメモリ領域に記録される。このように、録音ボタン３ｂを介してスイッチ３３ｂを押下しながら音声情報を音声情報入出力部４０を介して入力することにより、音声情報入出力部４０を介して入力された音声情報がＩＣチップ３４に記録されることになる。
【００５０】
このように、音声基板１３２上の導電パターン１３５ａ〜１３５ｃに設けられた断線部をスイッチ３３ａ，３３ｂによって導通状態とすることによって、ＩＣチップ３４に記録された音声情報が音声情報入出力部４０を介して出力されたり、音声情報入出力部４０を介して入力された音声情報がＩＣチップ３４に記録されたりすることになる。
【００５１】
ここで、本形態においては、音声基板１３２のＩＣチップ３４が搭載された面とは反対側の面においても、導電パターン１３５ｄ〜１３５ｆが互いに対向してなる断線部１３７ａ，１３７ｂが設けられている。
【００５２】
この断線部１３７ａは、スルーホール１３９ａを介してペーパー電池３１の正極に接続された導電パターン１３５ｄと、ＩＣチップ３４のポート端子のうち、ＩＣチップ３４のメモリ領域に記録された音声情報を出力するための指示信号が入力されるポート端子にスルーホール１３９ｂを介して接続された導電パターン１３５ｅとが対向するように形成されている。そのため、この断線部１３７ａを導通させることによっても、ＩＣチップ３４に記録された音声情報を音声情報入出力部４０を介して出力することができる。すなわち、断線部１３７ａ上にスイッチ３３ａを設け、さらに、表面シート１０ｂのスイッチ３３ａと対向する領域に再生ボタン３ａを設けておき、この再生ボタン３ａが押下された場合に、ＩＣチップ３４に記録された音声情報が音声情報入出力部４０を介して出力される構成とすることができる。
【００５３】
また、断線部１３７ｂは、スルーホール１３９ａを介してペーパー電池３１の正極に接続された導電パターン１３５ｄと、ＩＣチップ３４のポート端子のうち、音声情報入出力部４０を介して入力された音声情報をＩＣチップ３４のメモリ領域に記録するための指示信号が入力されるポート端子にスルーホール１３９ｃを介して接続された導電パターン１３５ｆとが対向するように形成されている。そのため、この断線部１３７ｂを導通させることによっても、音声情報入出力部４０を介して入力された音声情報をＩＣチップ３４に記録することができる。すなわち、断線部１３７ｂ上にスイッチ３３ｂを設け、さらに、表面シート１０ｂのスイッチ３３ｂと対向する領域に録音ボタン３ｂを設けておき、この録音ボタン３ｂが押下されながら音声情報入出力部４０を介して音声情報が入力された場合に、その音声情報がＩＣチップ３４に記録される構成とすることができる。
【００５４】
このように本形態においては、音声基板１３２に形成された導電パターン１３５ａ〜１３５ｆに、スイッチ３３ａ，３３ｂが操作されることによって導通状態となる２組の再生用断線部及び録音用断線部が設けられており、この２組の断線部の少なくとも一方がそれぞれ導通することにより、ＩＣチップ３４に記録された音声情報が音声情報入出力部４０を介して出力されたり、その状態にて音声情報入出力部４０を介して入力された音声情報がＩＣチップ３４に記録されたりする構成としたため、この２組の断線部のいずれか一方にスイッチ３３ａ，３３ｂをそれぞれ設け、さらに、表面シート１０ａ，１０ｂのスイッチ３３ａ，３３ｂと対向する領域に再生ボタン３ａ及び録音ボタン３ｂをそれぞれ設けることができ、それにより、情報表示領域２のデザインに応じて、再生ボタン３ａ及び録音ボタン３ｂを２組の断線部のいずれか一方に対向する領域に配置することができる。例えば、表面シート１０ａの全面を情報表示領域２としたい場合は、音声基板１３２の裏面に設けられた断線部１３７ａ，１３７ｂにスイッチ３３ａ，３３ｂをそれぞれ設け、表面シート１０ｂのスイッチ３３ａ，３３ｂと対向する領域に再生ボタン３ａ及び録音ボタン３ｂをそれぞれ設ければ、表面シート１０ａには再生ボタン３ａ及び録音ボタン３ｂを設ける必要がなくなり、それにより、表面シート１０ａの全面を情報表示領域２とすることができる。
【００５５】
なお、上述した２つの実施の形態においては、スイッチ３３ａ，３３ｂを配置可能な断線部をそれぞれ２つずつとしているが、その数は２つに限らない。多ければそれだけ表面シート１０ａ，１０ｂにおける再生ボタン３ａ及び録音ボタン３ｂの配置自由度が高まり、表面シート１０ａ，１０ｂのデザイン性を向上させることができる。ただしその場合、支持シート２０ａ，２０ｂ，１２０ａ，１２０ｂに設ける穴の数が多くなることにより音声メッセージ伝達シート１，１０１の強度が弱くなるため、デザイン性向上と強度確保の両者のバランスを考慮した数とすることが好ましい。
【００５６】
また、上述した２つの実施の形態においては、再生ボタン３ａを介してスイッチ３３ａが押下された場合にＩＣチップ３４に記録された音声情報が音声情報入出力部４０を介して出力され、また、録音ボタン３ｂを介してスイッチ３３ｂが押下されながら音声情報入出力部４０を介して音声情報が入力された場合にこの音声情報がＩＣチップ３４に記録される音声メッセージ伝達シート１，１０１を例に挙げて説明したが、再生ボタン３ａ及びスイッチ３３ａのみが設けられ、ＩＣチップ３４に記録された音声情報の再生のみが可能に構成された音声メッセージ伝達シートであっても、本発明を適用できることは言うまでもない。
【図面の簡単な説明】
【００５７】
【図１】本発明の音声メッセージ伝達シートの第１の実施の形態を示す図であり、（ａ）は表面から見た図、（ｂ）は内部構造を示す図、（ｃ）は（ａ）に示したＡ−Ａ’断面図、（ｄ）は（ａ）に示したＢ−Ｂ’断面図である。
【図２】図１に示した音声メッセージ伝達シートの積層状態を示す図である。
【図３】図１及び図２に示した支持シートと音声情報記録／再生部とを積層した状態を示す図である。
【図４】図１に示した音声メッセージ伝達シートの使用方法を説明するための図であり、（ａ）は音声基板上の詳細な構成を示す図、（ｂ）は（ａ）に示したスイッチが操作されていない状態の断面図、（ｃ）は（ａ）に示したスイッチが操作された状態の断面図である。
【図５】図４に示した音声基板にて図１に示したものとは異なる断線部上にスイッチを設けた例を示す図であり、（ａ）は表面から見た図、（ｂ）は内部構造を示す図である。
【図６】本発明の音声メッセージ伝達シートの第２の実施の形態を示す図であり、（ａ）は表面から見た図、（ｂ）は内部構造を示す図、（ｃ）は（ｂ）に示した音声基板を裏面から見た図である。
【図７】図６に示した音声メッセージ伝達シートの積層状態を示す図である。
【符号の説明】
【００５８】
１，１０１    音声メッセージ伝達シート
２    情報表示領域
３ａ    再生ボタン
３ｂ    録音ボタン
４    音声入出力領域
１０ａ，１０ｂ    表面シート
２０ａ，２０ｂ，１２０ａ，１２０ｂ    支持シート
２１ａ，２１ｂ，２２，２３，２３ａ，２３ｂ，２４ａ，２４ｂ，２５    穴
３０    音声情報記録／再生部
３１    ペーパー電池
３２，１３２    音声基板
３３ａ，３３ｂ    スイッチ
３４    ＩＣチップ
３５ａ〜３５ｃ，１３５ａ〜１３５ｆ    導電パターン
３６ａ，３６ｂ，３７ａ，３７ｂ，１３７ａ，１３７ｂ    断線部
３８    導電剤
４０    音声情報入出力部
４１    ピエゾ素子
４２    振動板
１３９ａ〜１３９ｃ    スルーホール
【図１】
2006301085.tif 000003
【図２】
2006301085.tif 000004
【図３】
2006301085.tif 000005
【図４】
2006301085.tif 000006
【図５】
2006301085.tif 000007
【図６】
2006301085.tif 000008
【図７】
2006301085.tif 000009